【手続補正書】
【提出日】平成20年12月11日(2008.12.11)
【手続補正１】
【補正対象書類名】特許請求の範囲
【補正対象項目名】全文
【補正方法】変更
【補正の内容】
【特許請求の範囲】
【請求項１】
熱可塑性ポリウレタンであって、
（ａ）１つ以上の有機ジイソシアネート成分を、
（ｂ）数平均分子量４５０ｇ／モル〜１０，０００ｇ／モルを有し、平均で、少なくとも１．８から多くとも３．０個のツェレビチノフ活性水素原子を有する、少なくとも１つのイソシアネート反応性成分、および
（ｃ）数平均分子量６０ｇ／モル〜４００ｇ／モルを有し、平均で、約１．８〜約３．０個のツェレビチノフ活性水素原子を有する、１つ以上の連鎖延長剤と、
（ｄ）熱可塑性ポリウレタン１００重量％に基づいて０．０５重量％〜５重量％の、一般構造式：
【化１】
2006169536.tif 000001
［式中、
ｎは、１〜１２の整数を示し、
Ｒ１は、ＮＨＲ３（Ｒ３は、水素原子、１〜２０個の炭素原子を有するアルキル基、６〜２０個の炭素原子を有するアリール基、または７〜２０個の炭素原子を有するアラルキル基を示す。）またはＯＲ４（Ｒ４は、水素原子、１〜２０個の炭素原子を有するアルキル基、６〜２０個の炭素原子を有するアリール基、または７〜２０個の炭素原子を有するアラルキル基を示す。）を示し、
Ｒ２は、１〜２０個の炭素原子を有するアルキル基、６〜２０個の炭素原子を有するアリール基または７〜２０個の炭素原子を有するアラルキル基を示す。］
で示される少なくとも１つのシラン、
（ｅ）場合により１つ以上の触媒、
（ｆ）熱可塑性ポリウレタン１００重量％に基づいて０．１重量％〜１０重量％の、１つ以上の光安定剤、
（ｇ）場合により、１つ以上の添加剤および／または助剤、および
（ｈ）場合により、１つ以上の連鎖停止剤
の存在下で、ａ）のイソシアネート基のｂ）、ｃ）および任意のｈ）のイソシアネート反応性基に対するモル比が約０．９：１〜約１．１：１で、反応させて得た反応生成物を含んでなる、熱可塑性ポリウレタン。
【請求項２】
ガラスシート上に熱可塑性ポリウレタンシートを配置することおよび加熱することを含んでなる、熱可塑性ポリウレタンおよびガラスを含む複合体の製造方法において、熱可塑性ポリウレタンが請求項１に記載の熱可塑性ポリウレタンを含む方法。
【請求項３】
ガラスシート上に熱可塑性ポリウレタンシートを配置すること、熱可塑性ポリウレタンシートの露出面上に太陽電池を配置すること、太陽電池の露出面上の第２ポリウレタンシートを配置すること、第２熱可塑性ポリウレタンシートの露出面上にフィルムシートを配置することおよび加熱することを含んでなる太陽電池モジュールの製造方法において、熱可塑性ポリウレタンのシートの一方または両方が請求項１の熱可塑性ポリウレタンを含む方法。
【手続補正２】
【補正対象書類名】明細書
【補正対象項目名】０００４
【補正方法】変更
【補正の内容】
【０００４】
溶融加工可能なポリウレタンエラストマーの合成は、段階的様式（すなわちプレポリマー法）または１工程で全ての成分を同時に反応させる方法（すなわちワンショット法）のいずれで行われてもよい。
【手続補正３】
【補正対象書類名】明細書
【補正対象項目名】０００５
【補正方法】変更
【補正の内容】
【０００５】
付着性の問題が、熱可塑性ポリウレタンをガラスとの複合体で使用する際に生じる。この理由から、ガラスとの付着性を向上させるために、しばしばシランが使用されている。
【手続補正４】
【補正対象書類名】明細書
【補正対象項目名】００１０
【補正方法】変更
【補正の内容】
【００１０】
本発明の目的は、ＴＰＵに特定のシランを含むことによって達成することができる。
本発明は、熱可塑性ポリウレタンに関する。これら熱可塑性ポリウレタンは、
（ａ）１つ以上の有機ジイソシアネート成分を、
（ｂ）数平均分子量４５０ｇ／モル〜１０，０００ｇ／モルを有し、平均で、少なくとも１．８から多くとも３．０個のツェレビチノフ活性水素原子を有する、少なくとも１つのイソシアネート反応性成分、および
（ｃ）数平均分子量６０ｇ／モル〜４００ｇ／モルを有し、平均で、約１．８〜約３．０個のツェレビチノフ活性水素原子を有する、１つ以上の連鎖延長剤と、
（ｄ）熱可塑性ポリウレタン１００重量％に基づいて約０．０５重量％〜約５重量％の、一般構造式：
【化１】
2006169536.tif 000002
［式中、
ｎは、１〜１２の整数を示し、
Ｒ１は、ＮＨＲ３（Ｒ３は、水素原子、１〜２０個の炭素原子を有するアルキル基、６〜２０個の炭素原子を有するアリール基、または７〜２０個の炭素原子を有するアラルキル基を示す。）またはＯＲ４（Ｒ４は、水素原子、１〜２０個の炭素原子を有するアルキル基、６〜２０個の炭素原子を有するアリール基、または７〜２０個の炭素原子を有するアラルキル基を示す。）を示し、
Ｒ２は、１〜２０個の炭素原子を有するアルキル基、６〜２０個の炭素原子を有するアリール基または７〜２０個の炭素原子を有するアラルキル基を示す。］
で示される少なくとも１つのシラン、
（ｅ）場合により１つ以上の触媒、
（ｆ）熱可塑性ポリウレタン１００重量％に基づいて０．１重量％〜１０重量％の、１つ以上の光安定剤、
（ｇ）場合により、１つ以上の添加剤および／または助剤、および
（ｈ）場合により、１つ以上の連鎖停止剤
の存在下で、ａ）のイソシアネート基のｂ）、ｃ）および任意のｈ）のイソシアネート反応性基に対するモル比が約０．９：１〜約１．１：１で、反応させて得た反応生成物を含んでなる。
【手続補正５】
【補正対象書類名】明細書
【補正対象項目名】００１３
【補正方法】変更
【補正の内容】
【００１３】
特に、１，４−シクロヘキサンジイソシアネート、１，６−ヘキサメチレンジイソシアネート、イソホロンジイソシアネートおよびジシクロヘキシルメタンジイソシアネートが、とりわけ本発明の好ましいイソシアネートである。これらのジイソシアネートは、個別に、または互いの混合物の形態で使用されうる。それらは、（合計ジイソシアネートに対して計算して）１５モル％までのポリイソシアネートと共に使用されうる。しかしながら、ポリイソシアネートは、多くとも、なお溶融加工可能である生成物が得られるような量で添加されうる。
【手続補正６】
【補正対象書類名】明細書
【補正対象項目名】００２１
【補正方法】変更
【補正の内容】
【００２１】
本発明において、ツェレビチノフ活性水素化合物、即ち成分ｂ）、ｃ）およびｈ）の相対量は、成分ａ）中のイソシアネート基の合計の成分ｂ）、ｃ）およびｈ）のツェレビチノフ活性水素原子の合計に対する比が約０．９：１〜約１．１：１であるように好ましく選択される。
【手続補正７】
【補正対象書類名】明細書
【補正対象項目名】００２５
【補正方法】変更
【補正の内容】
【００２５】
シラン、即ちここでの成分ｄ）またはこれらの混合物として使用される適した化合物は以下のとおりである。シランは、ＴＰＵ１００重量％に基づいて、約０．０５〜約５重量％の量で使用されうる。ここでシランとして使用するのに適した化合物は、以下の構造式Ｉ：
【化２】
2006169536.tif 000003
［式中、
ｎは、１〜１２の整数を示し、
Ｒ１は、ＮＨＲ３（Ｒ３は、水素原子、１〜２０個の炭素原子を有するアルキル基、６〜２０個の炭素原子を有するアリール基、または７〜２０個の炭素原子を有するアラルキル基を示す。）またはＯＲ４（Ｒ４は、水素原子、１〜２０個の炭素原子を有するアルキル基、６〜２０個の炭素原子を有するアリール基、または７〜２０個の炭素原子を有するアラルキル基を示す。）を示し、
Ｒ２は、１〜２０個の炭素原子を有するアルキル基、６〜２０個の炭素原子を有するアリール基または７〜２０個の炭素原子を有するアラルキル基を示す。］
で示されるものである。
【手続補正８】
【補正対象書類名】明細書
【補正対象項目名】００２９
【補正方法】変更
【補正の内容】
【００２９】
助剤および添加剤は、製造工程の間に本発明に従って添加されてよく、さらなる配合工程または押出工程でＴＰＵに組み込まれてもよい。